(57)【要約】【課題】棚等の上部に位置する部分の掃除を行なう場合、手首に負担がかかり使用性が悪化していた。【解決手段】塵埃を捕集する集塵室２５、その前方に吸気口２７、また、その後方に電動送風機２２を有する本体２１と、前記電動送風機２２に電源を供給する電池３０と、前記本体２１に設けられた把手２９とを備え、前記本体２１の重心Ｇを前記把手２９の中央部近傍に位置させた充電式掃除機で、重心Ｇより把手２９の前方を持ったとき、重心Ｇは、手より後方に位置することとなり、充電式掃除機本体２１の吸気口２７は、上方を向きやすくなる。次に重心Ｇより後方を持った場合は、吸気口２７は、下方を向きやすくなるため、把手２９を持つ場所により吸気口２７の方向を変えることができる。【選択図】図６
2004041760.tif 000002
【特許請求の範囲】
【請求項１】
塵埃を捕集する集塵室、その前方に吸気口、また、その後方に電動送風機を有する本体と、前記電動送風機に電源を供給する電池と、前記本体に設けられた把手とを備え、前記本体の重心を前記把手の中央部近傍に位置させた充電式掃除機。
【請求項２】
把手の下面に下方に向け凸部を設けた請求項１記載の充電式掃除機。
【請求項３】
電池を本体に装着し、前記電池を底面として本体を倒立させたときには倒立不能で、前記電池を本体から離脱したときには倒立が可能となる請求項１または２記載の充電式掃除機。
【発明の詳細な説明】
【技術分野】
【０００１】
　本発明は、一般家庭用充電式掃除機に関するものである。
【背景技術】
【０００２】
　従来の技術の構成を図１１を用いて示す。１は電動送風機２等を内蔵する本体であり、前部にはろ紙体３を内蔵し、その前方に集塵室４を設け、その前方には、吸気口５が形成され、後方には、本体１に着脱自在に保持された電池６が配設された構成で、本体１の底面には隙間用ノズル７が本体１の前後に形成された前受部８と後受部９とにより保持されていた（例えば、特許文献１参照）。
【特許文献１】特開昭６３−２９６７２１号公報
【発明の開示】
【発明が解決しようとする課題】
【０００３】
　ところが、上記のような構成の電気掃除機においては、本体１の重心が本体１の集塵室４側に位置しているため、本体１の把手部をもち掃除を行なう時、掃除機本体が前かがみの状態となり、床面の掃除を行なう場合は、良好であるが、棚等の上部に位置する部分の掃除を行なう場合、手首に負担がかかり使用性が悪化していた。
【課題を解決するための手段】
【０００４】
　上記課題を解決するための本発明は、塵埃を捕集する集塵室、その前方に吸気口、また、その後方に電動送風機を有する本体と、前記電動送風機に電源を供給する電池と、前記本体に設けられた把手とを備え、前記本体の重心を前記把手の中央部近傍に位置させた充電式掃除機で、重心より把手の前方を持ったとき、重心は、手より後方に位置することとなり、充電式掃除機本体の吸気口は、上方を向きやすくなる。次に重心より後方を持った場合は、吸気口は、下方を向きやすくなるため、把手を持つ場所により吸気口の方向を変えることができる。
【発明の効果】
【０００５】
　第１の発明によれば、塵埃を捕集する集塵室、その前方に吸気口、また、その後方に電動送風機を有する本体と、前記電動送風機に電源を供給する電池と、前記本体に設けられた把手とを備え、前記本体の重心を前記把手の中央部近傍に位置させた充電式掃除機で、重心より把手の前方を持ったとき、重心は、手より後方に位置することとなり、充電式掃除機本体の吸気口は、上方を向きやすくなる。次に重心より後方を持った場合は、吸気口は、下方を向きやすくなるため、把手を持つ場所により吸気口の方向を変えることができる。
【０００６】
　第２の発明によれば、把手の下面に下方に向け凸部を設けたもので、把手内の握り変えが容易となり、掃除機本体の吸気口の上下方向の向きの変更が容易に行なえるものである。
【０００７】
　第３の発明によれば、電池を本体に装着し、前記電池を底面として本体を倒立させたときには倒立不能で、前記電池を本体から離脱したときには倒立が可能となるものである。
本発明によれば、手首にかかる負担を低減することで、使用性を向上させた電気掃除機を提供できる。
【発明を実施するための最良の形態】
【０００８】
　第１の発明は、塵埃を捕集する集塵室、その前方に吸気口、また、その後方に電動送風機を有する本体と、前記電動送風機に電源を供給する電池と、前記本体に設けられた把手とを備え、前記本体の重心を前記把手の中央部近傍に位置させた充電式掃除機で、重心より把手の前方を持ったとき、重心は、手より後方に位置することとなり、充電式掃除機本体の吸気口は、上方を向きやすくなる。次に重心より後方を持った場合は、吸気口は、下方を向きやすくなるため、把手を持つ場所により吸気口の方向を変えることができる。
【０００９】
　第２の発明は、把手の下面に下方に向け凸部を設けたもので、把手内の握り変えが容易となり、掃除機本体の吸気口の上下方向の向きの変更が容易に行なえるものである。
【００１０】
　第３の発明は、電池を本体に装着し、前記電池を底面として本体を倒立させたときには倒立不能で、前記電池を本体から離脱したときには倒立が可能となるものである。
【００１１】
　（実施の形態１）
　以下、本発明の実施の形態１を添付図面にもとづいて説明する。図１〜図２において、２１は本体であり、内部後方には電動送風機２２を内蔵した電動送風機室２３を、前方にはろ紙体２４を内蔵した集塵室２５を有し、その前方には、棚用ノズル２６を保持した吸気口２７を有している。２８は、充電式掃除機の運転を制御するスイッチであり、本体２１の上部に保持され、その後方に把手２９が形成されている。３０は、電池で本体後方把手部の後方に保持用の爪（図示せず）により本体２１に取り付けられている。３１は、電池の接点で把手内に本体２１により狭持してとりつけられた接点板３２と係合して電池と電気的に接続している。３３は、本体底部に設けた空間部であり、電動送風機室２３と電池保持部３４とを本体壁３５により箱状の凹部を設けることにより生じたものである。３６は、粉塵用ノズルであり、３７は、隙間用ノズルである。
【００１２】
　前記粉塵用ノズル３６と隙間用ノズル３７は、本体底部に設けられた空間部３３に上下に重ねて保持されている。使用頻度が高く、形状が大型である隙間用ノズル３７を下に保持することにより、万一粉塵用ノズル３６の固定が不十分で保持リブ３８より外れても本体外へ脱落する恐れがなく、かつ頻繁に使用される隙間用ノズル３７を取り外す場合にも邪魔にならないという効果がある。
【００１３】
　粉塵用ノズル３６は、図３で示すように隙間用ノズル３７の先端と係合して保持される胴体部３９とそれに連通して形成された管体４０とにより構成されている。これにより、ドリルでの穴あけ時に生じる切り粉等を吸い込ませる事ができ工事用として使用できるため、充電式掃除機の使用範囲が拡大するものである。
【００１４】
　図４、図５は、胴体部及び管体とを分割し、取り替え自在に構成したものであり、隙間用ノズル３７に係合する胴体部４１と管体４２とにより構成される。管体４２は、圧入により保持されているため取外しが可能であり、図５に示すように形状の長い管体４３及び柔軟性を有する管体４４等に取り替えが出来るものである。
【００１５】
　前記本体構成で説明したように本発明の充電式掃除機は、図６に示すように、重量の大きな電池３０を本体後方に露出して取りつけているため本体重心Ｇを把手２９の中心部に位置させる事ができる。このため重心Ｇより把手２９の前方を持ったとき、重心Ｇは、手より後方に位置することとなり、充電式掃除機本体の吸気口２７は、上方を向きやすくなる。次に重心Ｇより後方を持った場合は、吸気口２７は、下方を向きやすくなるため、把手２９を持つ場所により吸気口の方向を変える事ができる。
【００１６】
　さらに図７に示すように、把手２９の下面、重心Ｇ２の下方に凸部４５を設けることによって、より充電式掃除機の吸気口の方向を調整し易くするものである。
【００１７】
　次に図８に示すようにこの充電式掃除機は、電池３０を本体後方の把手２９部に角度を設けて取りつけている。そのため、電池３０を底面として本体を倒立させたとき、電池３０の中心線４６より本体重心ｇ２が離れて存在するため、本体は、重心側へ傾き転倒するものである。しかし、電池３０を取り外して倒立させた場合、図９に示すように本体の電池保持上部４７と下部４８との中心線４９の近傍に重心ｇ２が存在し、電池保持上部４７と下部４８との間に存在するため、バランスが良好で転倒を防止出来るものである。
【００１８】
　従って電池充電時に本体を倒立した状態で保持でき、収納性が向上すると共に電池３０を保持した場合は、倒立出来ないため誤って本体を倒した場合も本体が軽いため、大きな衝撃を受けないという効果がある。
【００１９】
　又、図１０に示すように吊り下げ用のバンド５０を本体後方電池３０の前に取りつける事により、重心Ｇ３がバンド５０の前部近傍に存在するため、吊り下げ時本体は少し前方にかたむき吸気面５１と床面５２とが平行になり、把手２９を持たずに掃除を行なうことが可能となる。
【産業上の利用可能性】
【００２０】
　以上のように、本発明にかかる充電式掃除機は、把手を持つ場所により吸気口の方向を変えることができるので、運搬時や使用時に手首にかかる負担を低減するのに特に有用である。
【図面の簡単な説明】
【００２１】
【図１】本発明の第１の実施の形態を示す充電式掃除機の縦断面図
【図２】同充電式掃除機の縦断面図（アタッチメント装着時）
【図３】同充電式掃除機のアタッチメントの縦断面図
【図４】同充電式掃除機の他のアタッチメントの縦断面図
【図５】同アタッチメントの管体の縦断面図
【図６】同充電式掃除機の縦断面図（本体の重心表示）
【図７】同他の充電式掃除機の縦断面図
【図８】同充電式掃除機の縦断面図（電池装着時）
【図９】同充電式掃除機の縦断面図（電池離脱時）
【図１０】同他の充電式掃除機の縦断面図
【図１１】従来の充電式掃除機の縦断面図
【符号の説明】
【００２２】
　２１　本体
　２２　電動送風機
　２９　把手
　３０　電池
【図１】
2004041760.tif 000003
【図２】
2004041760.tif 000004
【図３】
2004041760.tif 000005
【図４】
2004041760.tif 000006
【図５】
2004041760.tif 000007
【図６】
2004041760.tif 000008
【図７】
2004041760.tif 000009
【図８】
2004041760.tif 000010
【図９】
2004041760.tif 000011
【図１０】
2004041760.tif 000012
【図１１】
2004041760.tif 000013